(57)【要約】      （修正有）【課題】自動販売機を製造するメーカーや機種によって外扉の横幅が異なるも、外扉の横幅と対応する長さに伸縮調節して取り付けることができる自動販売機用の扉装飾体を提供する。【解決手段】上部装飾体２０２における中央パーツ１３０の左端部に連結した側部パーツ１４０の矩形パーツ１４１と、左端部に連結した側部パーツ１４０の矩形パーツ１４２とを、外扉の幅方向に向けて左右方向へ移動させ、上部装飾体２０２の幅方向全長を、外扉の横幅と対応する長さに伸縮調節する。これにより、自動販売機を製造するメーカーや機種によって、外扉の横幅が異なるも、１種類の上部装飾体２０２を、横幅が異なる複数の外扉に取り付けることができる。【選択図】図３
2014006687.tif 000002
【特許請求の範囲】
【請求項１】
販売機本体の正面側開口部に対して開閉自在に連結された外扉の上部に取り付けられる自動販売機用の扉装飾体であって、
前記扉装飾体を、
前記外扉の幅方向と平行して該外扉の幅方向中央上部に配置される中央装飾体と、該中央装飾体の幅方向端部に対して前記外扉の幅方向に向けて伸縮調節自在に連結された側部装飾体とで構成し、
前記側部装飾体を、
前記中央装飾体の幅方向端部に対して前記外扉の幅方向と交差する斜め下方に向けて移動可能に連結するとともに、
前記扉装飾体の幅方向全長が長くなるのに伴って、前記中央装飾体を基準として前記側部装飾体の位置が徐々に低くなるように設けた
自動販売機用の扉装飾体。
【請求項２】
前記側部装飾体を、
前記扉装飾体の幅方向全長が短くなるのに伴って、前記中央装飾体を基準として前記側部装飾体の位置が徐々に高くなるように設けた
請求項１に記載の自動販売機用の扉装飾体。
【請求項３】
前記側部装飾体を、
前記中央装飾体の幅方向一端側に対して伸縮調節自在に連結した一端側装飾パーツと、該中央装飾体の幅方向他端側に対して伸縮調節自在に連結した他端側装飾パーツとで構成した
請求項１又は２に記載の自動販売機用の扉装飾体。
【請求項４】
前記中央装飾体と前記装飾パーツとの連結側端部間に装着される端部カバーを備え、
前記端部カバーを、
前記装飾パーツの連結側端部と連なる外観形状に形成するとともに、
前記外扉の横幅に応じて伸縮される前記中央装飾体と前記装飾パーツとの連結側端部間の間隔と対応して、該連結側端部間が覆われる大きさ及び形状に形成した複数の端部カバーで構成した
請求項１〜３のいずれか一つに記載の自動販売機用の扉装飾体。
【請求項５】
前記中央装飾体を前記外扉の上部に固定するための装飾体取付け部材を備え、
前記装飾体取付け部材を、
前記外扉の前側上部に載置される前側挟持板と、該外扉の後側上部に載置される後側挟持板とで構成し、
前記前側挟持板と前記後側挟持板との間に、
前記前側挟持板が前記外扉の上部正面に押し当てられ、前記後側挟持板が前記外扉の上部背面に押し当てられる方向に該各挟持板を締め付け固定する締め付け手段を備えた
請求項１〜４のいずれか一つに記載の自動販売機用の扉装飾体。
【発明の詳細な説明】
【技術分野】
【０００１】
この発明は、例えば飲料、煙草、菓子等の商品を販売する自動販売機の外扉を装飾するような自動販売機用の扉装飾体に関する。
【背景技術】
【０００２】
昨今、例えば飲料や煙草等の商品を販売する自動販売機は、商品収納数や設置場所に応じて様々なサイズの機種が数多く設置されているが、自動販売機を製造するメーカーや機種によって、外扉の横幅が異なるため、外扉の上部前面に取り付けられる化粧板も、外扉の横幅に対応して複数種製作しなければならず、製作コストが高くなる。また、外扉の横幅が異なる機種が増えるほど、化粧板の枚数も多くなるので、取り扱い及び管理が煩わしくなるという問題があった。
【０００３】
上述の化粧板を外扉前面に取り付ける方法として、例えば中央部側部材と、第１端部側部材と、第２端部側部材とからなる自動販売機用化粧板が提案されている（特許文献１参照）。この自動販売機用化粧板には、第１端部側部材の上部幅方向端部に形成した延出部を、中央部側部材の幅方向一端に形成した第１嵌合溝に嵌合する。同様に、第２端部側部材の上部幅方向端部に形成した延出部を、中央部側部材の幅方向他端に形成した第２嵌合溝に嵌合して接続する構成が開示されている。
【０００４】
しかし、自動販売機用化粧板は、外扉の横幅と対応する長さに形成しているので、横幅が異なる他の外扉には取り付けることが不可能である。そのため、自動販売機を製造するメーカーや機種によって外扉の横幅が異なる場合、自動販売機用化粧板を、横幅が異なる複数の外扉に対応して複数製作しなければならず、製作コストが高くなる。また、自動販売機用化粧板の組数も多くなるので、運搬に手間が掛かるだけでなく、取り扱い及び管理が煩わしくなるという問題があった。
【先行技術文献】
【特許文献】
【０００５】
【特許文献１】特開２００８−２１０８６号公報
【発明の概要】
【発明が解決しようとする課題】
【０００６】
この発明は、自動販売機を製造するメーカーや機種によって外扉の横幅が異なるも、外扉の横幅と対応する長さに伸縮調節して取り付けることができる自動販売機用の扉装飾体を提供することを目的とする。
【課題を解決するための手段】
【０００７】
この発明は、販売機本体の正面側開口部に対して開閉自在に連結された外扉の上部に取り付けられる自動販売機用の扉装飾体であって、前記扉装飾体を、前記外扉の幅方向と平行して該外扉の幅方向中央上部に配置される中央装飾体と、該中央装飾体の幅方向端部に対して前記外扉の幅方向に向けて伸縮調節自在に連結された側部装飾体とで構成し、前記側部装飾体を、前記中央装飾体の幅方向端部に対して前記外扉の幅方向と交差する斜め下方に向けて移動可能に連結するとともに、前記扉装飾体の幅方向全長が長くなるのに伴って、前記中央装飾体を基準として前記側部装飾体の位置が徐々に低くなるように設けたことを特徴とする。
【０００８】
この発明によれば、自動販売機を製造するメーカーや機種によって外扉の横幅が異なるも、扉装飾体を、外扉の横幅と対応する長さに伸縮調節して取り付けることができる。
【０００９】
詳述すると、自動販売機を製造するメーカーや機種によって、外扉の横幅（例えば１０２０ｍｍ、１１６０ｍｍ、１１８０ｍｍ、１３２０ｍｍ、１３８０ｍｍ等）が異なる場合、扉装飾体における中央装飾体の幅方向端部に連結した側部装飾体を、外扉の幅方向と交差する斜め下方に向けて移動させ、扉装飾体の幅方向全長を、外扉の横幅と対応して短尺状態から長尺状態へ伸縮調節するとともに、側部装飾体を、扉装飾体の幅方向全長が長くなるのに伴って、中央装飾体を基準として該側部装飾体の位置が徐々に低くなるように変位させる。
【００１０】
例えば、扉装飾体の正面から見た外観形状（特に扉装飾体の上部外面）を、中央装飾体の上部外面の中央部から端部に向けて徐々に低くなる滑らかな曲線に形成した場合、側部装飾体が、扉装飾体の幅方向全長が長くなるのに伴って、中央装飾体を基準として該側部装飾体の位置が徐々に低くなるように変位する。
【００１１】
これにより、側部装飾体が、中央装飾体の上部外面を延長した延長線上に沿って長くなる方向に移動しながら斜め下方へ変位するので、側部装飾体を、中央装飾体の幅方向端部と連なる状態に保ったまま、扉装飾体の幅方向全長を、外扉の横幅と対応する長さに伸縮調節することができる。
【００１２】
この結果、メーカーや機種によって外扉の横幅が異なるも、１種類の扉装飾体を、横幅が異なる複数の外扉に取り付けることができる。また、１種類の扉装飾体を製作するだけで済むため、汎用性の向上及び製作コストの低減を図ることができる。
【００１３】
この発明の態様として、前記側部装飾体を、前記扉装飾体の幅方向全長が短くなるのに伴って、前記中央装飾体を基準として前記側部装飾体の位置が徐々に高くなるように設けることができる。
【００１４】
この発明によれば、扉装飾体の幅方向全長を、外扉の横幅と対応する短尺寸法に伸縮調節して取り付けることができる。  
詳述すると、扉装飾体の幅方向全長を、外扉の横幅と対応して長尺状態から短尺状態へ伸縮調節する際、側部装飾体が、扉装飾体の幅方向全長が短くなるのに伴って、中央装飾体を基準として該側部装飾体の位置が徐々に高くなるように変位する。
【００１５】
側部装飾体が、中央装飾体の上部外面を延長した延長線上に沿って短くなる方向に移動しながら斜め上方へ変位するので、側部装飾体を、中央装飾体の幅方向端部と連なる状態に保ったまま、扉装飾体の幅方向全長を、外扉の横幅と対応する短尺寸法に伸縮調節することができる。  
この結果、メーカーや機種によって外扉の横幅が短くても、扉装飾体を、外扉の横幅と対応する短尺寸法に伸縮調節して取り付けることができる。
【００１６】
また、この発明の態様として、前記側部装飾体を、前記中央装飾体の幅方向一端側に対して伸縮調節自在に連結した一端側装飾パーツと、該中央装飾体の幅方向他端側に対して伸縮調節自在に連結した他端側装飾パーツとで構成することができる。
【００１７】
この発明によれば、所定幅の外扉のみに限定されず、扉装飾体を、例えば幅狭型や幅広型等の様々な横幅を有する外扉に取り付けることができる。  
詳述すると、中央装飾体の幅方向一端側に連結した一端側装飾パーツと、該中央装飾体の幅方向他端側に連結した他端側装飾パーツとを幅方向に伸縮して、扉装飾体の幅方向全長を外扉の横幅と対応する長さに伸縮調節する。
【００１８】
つまり、扉装飾体の左右両端を伸縮調節するので、扉装飾体の左右両端のいずれか一方を伸縮するよりも、扉装飾体の伸縮可能な領域が広くなり、様々な横幅を有する外扉に取り付けることができる。  
この結果、メーカーや機種によって外扉の横幅が異なるも、その全ての外扉に取り付けることができ、汎用性がさらに向上する。
【００１９】
また、この発明の態様として、前記中央装飾体と前記装飾パーツとの連結側端部間に装着される端部カバーを備え、前記端部カバーを、前記装飾パーツの連結側端部と連なる外観形状に形成するとともに、前記外扉の横幅に応じて伸縮される前記中央装飾体と前記装飾パーツとの連結側端部間の間隔と対応して、該連結側端部間が覆われる大きさ及び形状に形成した複数の端部カバーで構成することができる。
【００２０】
この発明によれば、扉装飾体の正面全体が、１つの装飾体で構成されたような一体感あるいは意匠感を現出することができる。  
詳述すると、扉装飾体の幅方向全長を、外扉の横幅と対応する長さに伸縮調節した際、横幅が異なる複数の端部カバーの中から、中央装飾体と側部装飾体との連結側端部間が覆われる大きさ及び形状に形成した端部カバーを１つ選択する。その選択した端部カバーを、中央装飾体と側部装飾体との連結側端部間が覆われるように装着する。  
この結果、中央装飾体と側部装飾体との連結側端部間を、端部カバーにて連なるように覆い隠すことができる。
【００２１】
また、この発明の態様として、前記中央装飾体を前記外扉の上部に固定するための装飾体取付け部材を備え、前記装飾体取付け部材を、前記外扉の前側上部に載置される前側挟持板と、該外扉の後側上部に載置される後側挟持板とで構成し、
前記前側挟持板と前記後側挟持板との間に、前記前側挟持板が前記外扉の上部正面に押し当てられ、前記後側挟持板が前記外扉の上部背面に押し当てられる方向に該各挟持板を締め付け固定する締め付け手段を備えることができる。
【００２２】
この発明によれば、外扉に加工を施すことなく、扉装飾体を外扉の上部に対して確実かつ強固に固定することができる。  
詳述すると、装飾体取付け部材の前側挟持板を外扉の前側上部に載置し、後側挟持板を外扉の後側上部に載置した後、前側挟持板が外扉の上部正面に押し当てられ、後側挟持板が外扉の上部背面に押し当てられる方向に、例えばねじ等の締め付け手段にて前側挟持板と後側挟持板とを締め付け固定する。
【００２３】
すなわち、外扉の上部を、前側挟持板と後側挟持板とで前後に挟持して、装飾体取付け部材を外扉の上部に固定する。この後、扉装飾体を、外扉の上部に固定した装飾体取付け部材に対して、例えばねじ等の固定手段にて固定する。  
この結果、例えばねじ孔等の加工を外扉に施すことなく、扉装飾体を、外扉の上部に対して設置することができる。
【発明の効果】
【００２４】
この発明によれば、自動販売機を製造するメーカーや機種によって外扉の横幅が異なるも、扉装飾体を、外扉の横幅と対応する長さに伸縮調節して取り付けることができる。
【図面の簡単な説明】
【００２５】
【図１】自動販売機用の扉装飾体を外扉に取り付けた自動販売機の正面図。
【図２】自動販売機用の扉装飾体を分離した状態の正面図。
【図３】上部装飾体を分離した状態の正面図。
【図４】上部装飾体を組み付けた状態の背面図。
【図５】据付け板を分離した状態の背面図。
【図６】左側矩形パーツの取り付け構造の背面図。
【図７】左側矩形パーツの取り付け方法の説明図。
【図８】右側矩形パーツの取り付け構造の背面図。
【図９】右側矩形パーツの取り付け方法の説明図。
【図１０】係止孔及び係止爪による前面カバーの下端側固定方法の説明図。
【図１１】止めピンによる前面カバーの下端側固定方法の説明図。
【図１２】止めピンを止め孔に挿入する直前の斜視図。
【図１３】止めピンを止め孔に挿入した直後の斜視図。
【図１４】止めピンを右方向又は左方向へ９０度回転した状態の斜視図。
【図１５】上部装飾体の取り付け方法の説明図。
【図１６】上部係止具の取り付け構造の説明図。
【図１７】下部係止具の取り付け構造の説明図。
【図１８】中央係止具の取り付け構造の説明図。
【図１９】受け側係止具の取り付け構造の説明図。
【図２０】受け側係止具を外扉に取り付けた状態の正面図。
【図２１】上部取付け具と下部取付け具とを外扉に係止した状態の説明図。
【図２２】短尺装飾体を分離した状態の正面図及び部分拡大断面図。
【図２３】側部金具の取り付け構造の説明図。
【図２４】側部金具による短尺装飾体の取り付け方法の説明図。
【図２５】側部金具による短尺装飾体の固定状態の斜視図。
【図２６】側部金具による短尺装飾体の固定状態の横断平面図。
【発明を実施するための形態】
【００２６】
この発明の一実施形態を以下図面に基づいて詳述する。  
図１は自動販売機用の扉装飾体２０１を外扉１００ａに取り付けた自動販売機１００の正面図、図２は自動販売機用の扉装飾体２０１を分離した状態の正面図である。
【００２７】
本実施形態の自動販売機用の扉装飾体２０１は、図１、図２に示すように、自動販売機１００における外扉１００ａの上部正面に取り付けられる上部装飾体２０２と、外扉１００ａの正面から見て幅方向左端側正面に取り付けられる長尺装飾体２０３と、外扉１００ａの幅方向右端側正面に取り付けられる短尺装飾体２０４と、外扉１００ａの下部正面に取り付けられる下部装飾体２０５とで構成している。  
また、扉装飾体２０１の正面から見た上部外面の外観形状は、該扉装飾体２０１の上部外面の中央部から左右端部に向けて徐々に低くなる滑らかな曲線に形成している。
【００２８】
自動販売機１００は、例えば缶型、瓶型、ボトル型、箱型、袋型等の商品を販売するものであり、略箱形状で内部に飲料などの商品を多数収納している正面側が開口された販売機本体１００ｂと、販売機本体１００ｂの正面と同じ大きさで正面側開口部を開閉する外扉１００ａとを備えている。
【００２９】
外扉１００ａの幅方向左端部は、販売機本体１００ｂの幅方向左端側（正面から見て左端）に対してヒンジ１０７にて左右開閉自在に連結している。また、外扉１００ａの上部正面には、自動販売機１００が取り扱う商品に酷似した商品見本と、該商品見本に対応する商品選択ボタンとを備えた商品展示部１０８を設けている。
【００３０】
さらに、商品展示部１０８より下方右側で、外扉１００ａの中央部右側正面には、紙幣を投入する紙幣投入口と、硬貨を投入する硬貨投入口と、カードを投入するガード投入口とを備えた精算部１０９と、外扉１００ａを閉状態に施錠するための施錠部１１０とを設けている。
【００３１】
商品展示部１０８より下方左側で、外扉１００ａの中央部左側正面には、上記商品に関連した広告情報が印刷されたポスターやパネル等の広告物を展示するための広告表示部１１１を設けている。
【００３２】
広告表示部１１１より下方で、外扉１００ａの下部左側正面には、購入した商品を取り出すための商品取出口１１２を設けている。また、その商品取出口１１２の右側正面には、お釣りの硬貨を返却するための硬貨返却口１１３を設けている。
【００３３】
なお、上部装飾体２０２と、長尺装飾体２０３と、短尺装飾体２０４と、下部装飾体２０５との正面に露出する主要部分は、例えばポリカーボネード、アクリル、ポリアセタール、ポリプロピレン、ポリエチレン、ポリエステル等のプラスチックで構成している。
【００３４】
次に、図３〜図５を用いて、上部装飾体２０２の取り付け構造について説明する。図３は上部装飾体２０２を分離した状態の正面図、図４は上部装飾体２０２を組み付けた状態の背面図、図５は据付け板２０を分離した状態の背面図である。
【００３５】
上部装飾体２０２は、図３〜図５に示すように、正面から見て横長に形成され、外扉１００ａの上部正面が覆われる大きさ及び形状に形成している。また、上部装飾体２０２は、外扉１００ａの幅方向Ａと平行して該外扉１００ａの幅方向中央上部に配置される中央パーツ１３０と、中央パーツ１３０の左右端部に対して外扉１００ａの幅方向Ａに向けて伸縮調節自在に連結された左右一対の側部パーツ１４０とで構成している。
【００３６】
中央パーツ１３０は、外扉１００ａの幅方向Ａと平行して該外扉１００ａの上部に対して跨ぐように固定される据付け板２０と、据付け板２０の前面に固定される取付け板２１と、取付け板２１の前面を覆うように取り付けられる成形体２２と、成形体２２の上面及び前面、下面を覆うように取り付けられる前面カバー２３と、成形体２２と前面カバー２３との間に挟み込まれるロゴ表示体３０、広告表示体４０で構成している。
【００３７】
なお、成形体２２と、前面カバー２３と、ロゴ表示体３０と、広告表示体４０は、例えばポリアセタール、ポリプロピレン、ポリエチレン、ポリエステル、ポリカーボネード、アクリル等のプラスチックにて形成している。
【００３８】
据付け板２０は、外扉１００ａの前側上部天井面に載置される前側挟持板２０Ｘと、外扉１００ａの後側上部天井面に載置される後側挟持板２０Ｙとに前後分割可能に構成している（図５参照）。
【００３９】
前側挟持板２０Ｘは、外扉１００ａの前側上部天井面に載置される水平部２０Ｘａと、水平部２０Ｘａの後端側を上方に向けて垂直に折り曲げて形成した起立部２０Ｘｂと、水平部２０Ｘａの前端側を下方に向けて垂直に折り曲げて形成した垂下部２０Ｘｃとで構成している。
【００４０】
また、起立部２０Ｘｂの正面から見て左端部には、外扉１００ａの正面から見て上部左側端部に係止される係止部２０Ｘｄを固定している。さらに、垂下板２０Ｘｃの正面から見て下端側中央部には、後述する係止爪２１ｄの係止が許容される係止孔２０Ｘｅを形成している。なお、係止部２０Ｘｄを、起立部２０Ｘｂの正面から見て右端部に設けてもよい。
【００４１】
後側挟持板２０Ｙは、外扉１００ａの後側上部天井面に載置される水平部２０Ｙａと、水平部２０Ｙａの後端側を上方に向けて垂直に折り曲げて形成した起立部２０Ｙｂと、水平部２０Ｙａの前端側を下方に向けて垂直に折り曲げて形成した垂下部２０Ｙｃとで構成している。
【００４２】
上述の据付け板２０を、外扉１００ａの上部天井面に固定する場合、前側挟持板２０Ｘを外扉１００ａの前側上部天井面に載置し、垂下部２０Ｘｃを外扉１００ａの上部正面に押し当てる。また、後側挟持板２０Ｙを外扉１００ａの後側上部天井面に載置し、垂下部２０Ｙｃを外扉１００ａの上部背面に押し当てる。
【００４３】
この後、前側挟持板２０Ｘの起立部２０Ｘｂと、後側挟持板２０Ｙの起立部２０Ｙｂとをねじ１６０にて締め付け固定する。また、前側挟持板２０Ｘの係止部２０Ｘｄを外扉１００ａの正面から見て上部左側端部に係止する。
【００４４】
すなわち、外扉１００ａの上部を前側挟持板２０Ｘと後側挟持板２０Ｙとで前後方向に挟持することにより、外扉１００ａに加工を施すことなく、据付け板２０を外扉１００ａの上部天井面に対して確実かつ強固に固定することができる（後述する図１５参照)。
【００４５】
取付け板２１は、前側挟持板２０Ｘの前側に載置される金属製の載置板２１ａと、載置板２１ａの後端側を上方に向けて垂直に折り曲げて形成した起立板２１ｂと、該載置板２１ａの前端側を下方に向けて垂直に折り曲げて形成した垂下板２１ｃとで構成している。  
また、垂下板２１ｃの下端側中央部には、前側挟持板２０Ｘの垂下板２０Ｘｃに形成した係止孔２０Ｘｅに対して係止される係止爪２１ｄを前後方向に対して出没自在に取り付けている。（図４参照）。
【００４６】
成形体２２は、取付け板２１の前面全体（前面及び上下面、両側面）を覆う大きさ及び形状に形成している。また、成形体２２の前面側中央部には、後述するロゴ表示体３０と広告表示体４０を重ね合わせたまま収容が許容される凹状の収容部２２ａを形成している（図３参照）。
【００４７】
収容部２２ａは、ロゴ表示体３０と広告表示体４０を重ね合わせたまま収容が許容される大きさ及び形状、深さに、該成形体２２の前面に沿って長さ方向に形成している。また、収容部２２ａの両側前面には、ロゴ表示体３０の両側縁部に形成した係止溝３０ａと対応して、広告表示体４０の両側縁部に連設した係止片４０ａの差し込みが許容される凹状の受け部２２ａＺを形成している。
【００４８】
成形体２２の上端側後縁部は、取付け板２１の起立板２１ｂの上端側前縁部を覆う大きさ及び形状に形成している。また、成形体２２の上端側後縁部には、後述する前面カバー２３の係止爪２３ｂが後方より係止される係止孔２２ｄを所定間隔に隔てて形成している。  
さらにまた、係止孔２２ｄは、成形体２２の上端側後縁部を上方に向けて凸状に変形して形成している（後述する図１０のａ，ｂ参照）。
【００４９】
成形体２２の下端側後縁部は、取付け板２１の垂下板２１ｃの下端側前縁部を覆う大きさ及び形状に形成している。また、成形体２２の下端側後縁部には、後述する止めピン２７が抜止めされる丸形状の止め孔２２ｅを形成している。
【００５０】
止め孔２２ｅは、後述する止めピン２７の上側部材２８の上端側係止部２８ｂよりも大径に形成され、該係止部２８ｂが垂直方向に対して挿入が許容される大きさ及び形状に形成している。また、止め孔２２ｅの対向縁部には、係止部２８ｂの対向外周面に突出した一対の突出片２８ｃの通過が許容される溝部２２ｆを形成している。  
さらにまた、止め孔２２ｅの上面側対向縁部には、突出片２８ｃの先端側下面に突出した凸部２８ｄが係合される凹部２２ｇを形成している（後述する図１２参照）。
【００５１】
上述の成形体２２を取付け板２１に固定する場合、成形体２２を、取付け板２１の正面に対して該正面全体を覆われるように装着した後、成形体２２の上端側後縁部を、取付け板２１の起立板２１ｂの上端側前縁部に対してねじ止めする。また、成形体２２の下端側後縁部を取付け板２１の垂下板２１ｃの下端側前縁部に対してねじ止めする（図４参照）。
【００５２】
上述のロゴ表示体３０と広告表示体４０は、収容部２２ａよりも一回り小さく、該収容部２２ａに対して収容が許容される大きさ及び形状に形成している。また、ロゴ表示体３０の前面には、ロゴ情報の一例として「○○Ｄｒｉｎｋ」を表示している。また、広告表示体４０の前面には、広告情報の一例として「△△Ｃｏｆｆｅｅ」を表示している。
【００５３】
なお、収容部２２ａには、プレート状のロゴ表示体３０を、ロゴ情報の一例である「○○Ｄｒｉｎｋ」が印刷された表面を外扉１００ａの前面と対応する方向に向けて、例えば両面粘着テープ、接着剤、ねじ等の固定手段にて固定している（図３参照）。
【００５４】
前面カバー２３は、成形体２２の前面全体（前面及び上下面、両側面）を覆う大きさ及び形状に形成している。また、前面カバー２３の前面側中央部には、成形体２２の収容部２２ａと対応して該収容部２２ａに収容されたロゴ表示体３０のロゴ情報或いは広告表示体４０の広告情報の読み取りが許容される透明な窓部２３ａを形成している（図３参照）。
【００５５】
また、前面カバー２３の上端側後縁部には、成形体２２の係止孔２２ｄに対して後方より係止される係止爪２３ｂを所定間隔に隔てて形成している（後述する図１０のａ，ｂ参照）。また、前面カバー２３の下端側後縁部には、成形体２２の止め孔２２ｅに対して係止される止めピン２７を取り付けている（後述する図１１、図１２参照）。
【００５６】
また、前面カバー２３の背面には、柔軟性を有する合成ゴム製のパッキン２３ｄを、収容部２２ａの上側縁部及び両側縁部と対向と対向して装着している。また、収容部２２ａの下側縁部と対応するパッキン２３ｄの下側縁部間には、該収容部２２ａの内部と外部を連通する通路２３ｅを形成している。
【００５７】
次に、図６〜図９を用いて、側部パーツ１４０の取り付け構造について説明する。図６は左側矩形パーツ１４１の取り付け構造の背面図、図７は左側矩形パーツ１４１の取り付け方法の説明図、図８は右側矩形パーツ１４２の取り付け構造の背面図、図９は右側矩形パーツ１４２の取り付け方法の説明図である。
【００５８】
側部パーツ１４０は、上述した前面カバー２３の端部外面と連なる外観形状に形成した左右の矩形パーツ１４１，１４２と、中央パーツ１３０と側部パーツ１４０（矩形パーツ１４１，１４２）との連結側端部間が覆われる大きさ、形状及び横幅に形成した左右の端部カバー１５１，１５２で構成している。
【００５９】
側部パーツ１４０（矩形パーツ１４１，１４２）の連結側端部は、上述した前面カバー２３の連結側端部と連なる大きさ及び形状に形成している。例えば前面カバー２３の外観形状が滑らかな曲面であれば、矩形パーツ１４１，１４２の外観形状も滑らかな曲面に形成する。
【００６０】
矩形パーツ１４１，１４２の連結側端部には、連結板１４１ａ，１４２ａの一端側を固定している。また、連結板１４１ａ，１４２ａの他端側は、取付け板２１の左右端部に対して外扉１００ａの幅方向Ａに向けて伸縮調節自在に連結している。
【００６１】
連結板１４１ａの他端側には、ねじ１６０の挿通が許容される２本の長孔１４１ｂを、外扉１００ａの幅方向Ａに向けて平行に形成している。  
すなわち、連結板１４１ａの他端側を、これと対応する取付け板２１の正面から見て左側端部背面に装着した際、ねじ１６０を、連結板１４１ａの長孔１４１ｂを介して、取付け板２１の端部背面に螺合する。
【００６２】
さらに、連結板１４１ａの他端側に突出した係止片１４１ｃを、取付け板２１の端部背面に形成した長孔２１１ａに係合する。これにより、連結板１４１ａを、取付け板２１の左側端部に対して幅方向Ａに向けて伸縮調節自在に連結している（図６、図７参照）。
【００６３】
また、連結板１４２ａの他端側と対応する取付け板２１の正面から見て右側端部背面には、ねじ１６０の挿通が許容される２本の長孔２１２ａを、取付け板２１の中央部から端部に向けて徐々に低くなる角度に傾斜して平行に形成している。
【００６４】
すなわち、連結板１４２ａの他端側を、これと対応する取付け板２１の端部背面に装着した際、ねじ１６０を、取付け板２１の長孔２１２ａを介して、連結板１４２ａの他端側に螺合する。これにより、連結板１４２ａを、取付け板２１の右側端部に対して幅方向Ａと交差する斜め下方に向けて伸縮調節自在に連結している（図８、図９参照）。
【００６５】
また、連結板１４２ａの他端側背面には、連結板１４２ａの伸縮動作に連動して幅方向Ａに向けて平行に移動する連結板１４３を取り付けている。  
連結板１４３の背面には、ねじ１６０の挿通が許容される２本の長孔１４３ａを上下方向に平行して形成している。さらに、連結板１４３の下端部に形成した係止片１４３ｂを、取付け板２１の端部背面に形成した長孔２１２ｂに係合している。
【００６６】
すなわち、連結板１４３を、連結板１４２ａの他端側背面に装着した際、ねじ１６０を、連結板１４３の長孔１４３ａを介して、連結板１４２ａの中央部背面に螺合することにより、連結板１４３を、連結板１４２ａに対して上下動可能に取り付けている。
【００６７】
矩形パーツ１４２の連結板１４２ａは、取付け板２１の長孔２１２ａに沿って斜めに移動するが、連結板１４３は、取付け板２１の長孔２１２ｂに沿って幅方向Ａに向けて水平移動するため、据付け板２０の上部正面に設定した所定の取り付け位置とほぼ同一となる高さを維持することができる。
【００６８】
取付け板２１の中央部背面に固定した連結板１４３と、連結板１４１ａの背面に固定した連結板１４３と、連結板１４２ａに取り付けた連結板１４３とは、外扉１００ａの上部に固定した据付け板２０の上部前面に対してねじ止めされる。
【００６９】
矩形パーツ１４１，１４２を幅方向Ａに水平移動して、上部装飾体２０２の幅方向Ａ全長を、例えば１０２０ｍｍ、１１６０ｍｍ、１１８０ｍｍ、１３２０ｍｍ、１３８０ｍｍ等の横幅を有する複数機種の自動販売機１００の外扉１００ａの横幅と対応する長さに伸縮調節する。
【００７０】
この後、矩形パーツ１４１，１４２をねじ１６０にて締付け固定すれば、上部装飾体２０２の幅方向Ａ全長を、自動販売機１００の外扉１００ａの横幅と対応する長さに固定することができる。
【００７１】
また、端部カバー１５１，１５２は、上述のようなメーカーや機種によって横幅が異なる複数の外扉１００ａと対応して、その外扉１００ａと対応する横幅に形成した複数種のカバーで構成している。  
さらに、端部カバー１５１，１５２は、外扉１００ａと対応して伸縮される中央パーツ１３０と側部パーツ１４０との連結側端部間が覆われる横幅に形成している。
【００７２】
端部カバー１５１，１５２の中央パーツ１３０（成形体２２）の左右端部と対向する一端側には、成形体２２の端部に対して係合される係合片１５３と、ねじ孔１５４ａを有する突出片１５４とを突出している。また、矩形パーツ１４１，１４２の端部と対向する端部カバー１５１，１５２の他端側には、矩形パーツ１４１，１４２の端部に対して係合される係合片１５５を突出している（図３参照）。
【００７３】
次に、上述の上部装飾体２０２の幅方向Ａ全長を、自動販売機１００の外扉１００ａの横幅と対応する長さに伸縮調節する方法を説明する。  
上部装飾体２０２の正面から見て左側を伸縮する場合、予め前面カバー２３を外しておき、ねじ１６０による中央パーツ１３０と矩形パーツ１４１との固定を解除して、矩形パーツ１４１を、外扉１００ａの幅方向Ａと平行して左方向に向けて引き出し移動する（図７のａ，ｂ参照）。
【００７４】
すなわち、矩形パーツ１４１を、連結板１４１ａの長孔１４１ｂ及び取付け板２１の長孔２１１ａに沿って、外扉１００ａの幅方向Ａと平行する方向へ移動させ、上部装飾体２０２の左側端部を、外扉１００ａの横幅と対応して短尺状態から長尺状態へ伸縮調節する。
【００７５】
所定幅の端部カバー１５１を、矩形パーツ１４１の端部に係合（なお、ねじ１６０で固定してもよい）した後、矩形パーツ１４１及び端部カバー１５１を右方向に向けて移動させ、中央パーツ１３０の左側端部に係合する（図７のｃ参照）。  
この後、端部カバー１５１を、中央パーツ１３０の端部に対してねじ１６０により締め付け固定すれば、矩形パーツ１４１の伸縮調節が完了する（図７のｄ参照）。
【００７６】
続いて、上部装飾体２０２の正面から見て右側を伸縮する場合、ねじ１６０による中央パーツ１３０と矩形パーツ１４２との固定を解除して、矩形パーツ１４２を右方向に向けて引き出し移動する（図９のａ，ｂ参照）。
【００７７】
すなわち、矩形パーツ１４２を、取付け板２１の長孔２１２ａ，２１２ａ及び長孔２１２ｂに沿って、外扉１００ａの幅方向Ａと交差する斜め下方に向けて移動させ、上部装飾体２０２の右側端部を、外扉１００ａの横幅と対応して短尺状態から長尺状態へ伸縮調節する。
【００７８】
矩形パーツ１４２は、取付け板２１の長孔２１２ａ，２１２ａに沿って、中央パーツ１３０の中央部から端部に向けて徐々に低くなるように斜め方向へ移動するとともに、上部装飾体２０２の幅方向全長が長くなるのに伴って、中央パーツ１３０を基準として該矩形パーツ１４２の位置が徐々に低くなるように変位する。
【００７９】
これにより、矩形パーツ１４２が、中央パーツ１３０の上部外面を延長した延長線上に沿って長くなる方向に移動しながら斜め下方へ変位するので、矩形パーツ１４２を、中央パーツ１３０の幅方向端部と連なる状態に保ったまま、上部装飾体２０２の幅方向Ａ全長を、外扉１００ａの横幅と対応する長尺寸法に調節することができる。
【００８０】
所定幅の端部カバー１５２を、矩形パーツ１４２の端部に係合してねじ１６０で固定した後、矩形パーツ１４２及び端部カバー１５２を左方向に向けて移動させ、中央パーツ１３０の右側端部に係合する（図９のｃ，ｄ参照）。  
この後、端部カバー１５２を、中央パーツ１３０の右側端部に対してねじ１６０により締め付け固定すれば、矩形パーツ１４２の伸縮調節が完了する（図９のｅ参照）。
【００８１】
この結果、メーカーや機種によって外扉１００ａの横幅が異なるも、１種類の上部装飾体２０２を、横幅が異なる複数の外扉１００ａに取り付けることができる。また、１種類の上部装飾体２０２を製作するだけで済み、横幅が異なる複数の外扉１００ａに対応することができるため、汎用性の向上及び製作コストの低減を図ることができる。
【００８２】
また、上部装飾体２０２の幅方向全長を、外扉１００ａの横幅と対応して長尺状態から短尺状態へ伸縮調節する場合、矩形パーツ１４２は、上部装飾体２０２の幅方向全長が短くなるのに伴って、中央パーツ１３０を基準として該矩形パーツ１４２の位置が徐々に高くなるように変位する。
【００８３】
すなわち、矩形パーツ１４２は、中央パーツ１３０の上部外面を延長した延長線上に沿って短くなる方向に移動しながら斜め上方へ変位するので、矩形パーツ１４２を、中央パーツ１３０の幅方向端部と連なる状態に保ったまま、上部装飾体２０２の幅方向全長を短尺寸法に調節することができる。  
これにより、外扉１００ａの横幅が短くても、上部装飾体２０２を、外扉１００ａの横幅と対応する短尺寸法に伸縮調節して取り付けることができる。
【００８４】
また、側部パーツ１４０の矩形パーツ１４１，１４２を左右方向に伸縮調節するので、上部装飾体２０２の左右両端のいずれか一方を伸縮するよりも、上部装飾体２０２の伸縮可能な領域が広くなり、様々な横幅を有する外扉１００ａに取り付けることができる。
【００８５】
これにより、所定幅の外扉１００ａのみに限定されず、上部装飾体２０２を、例えば幅狭型や幅広型等の様々な横幅を有する外扉１００ａに取り付けることができる。また、メーカーや機種によって外扉１００ａの横幅が異なるも、その全ての外扉１００ａに取り付けることができ、汎用性がさらに向上する。
【００８６】
また、上部装飾体２０２の幅方向全長を伸縮調節した際、横幅が異なる複数の端部カバー１５１，１５２の中から、中央パーツ１３０と矩形パーツ１４２との連結側端部間が覆われる大きさ及び形状に形成した端部カバーを１つ選択する。その選択した端部カバーを、中央パーツ１３０と矩形パーツ１４２との連結側端部間が覆われるように装着する。
【００８７】
これにより、中央パーツ１３０と矩形パーツ１４２との連結側端部間を、端部カバー１５１，１５２にて連なるように覆い隠すことができ、上部装飾体２０２の正面全体が、１つの装飾体で構成されたような一体感あるいは意匠感を現出することができる。
【００８８】
次に、図１１〜図１４を用いて、上述した止めピン２７による前面カバー２３の取り付け方法について説明する。  
図１１は止めピン２７による前面カバー２３の下端側固定方法の説明図、図１２は止めピン２７を止め孔２２ｅに挿入する直前の斜視図、図１３は止めピン２７を止め孔２２ｅに挿入した直後の斜視図、図１４は止めピン２７を右方向又は左方向へ９０度回転した状態の斜視図である。
【００８９】
止めピン２７は、前面カバー２３の下端側後縁部に形成した保持孔２３ｃを介して互いに連結される上側部材２８と下側部材２９とで構成している。  
上側部材２８は、前記止め孔２２ｅに対して挿入が許容される外径寸法に形成した中空の軸部２８ａと、軸部２８ａの上端側に形成した前記止め孔２２ｅよりも小径の係止部２８ｂとで構成している。
【００９０】
係止部２８ｂの対向外周面には、一対の突出片２８ｃを、前記止め孔２２ｅの溝部２２ｆと対応して径方向に向けて突出している。また、突出片２８ｃは、止め孔２２ｅの上面側周縁部に対して係止される長さに形成している。さらにまた、突出片２８ｃの先端側下面には、凹部２２ｇに対して係合される凸部２８ｄを形成している。
【００９１】
下側部材２９は、上側部材２８の軸部２８ａに対して軸方向に抜止め固定される爪付きの軸部２９ａと、軸部２９ａの下端側に形成した前記止め孔２２ｅよりも大径の回動操作部２９ｂとで構成している。
【００９２】
上述の止めピン２７は、前面カバー２３の保持孔２３ｃを介して、上側部材２８の軸部２８ａに対して下側部材２９の軸部２９ａを下方から差込んで一体的に組み付ける。また、上側部材２８の突出片２８ｃを、前記保持孔２３ｃよりも上方に突出し、下側部材２９の回動操作部２９ｂを、前記保持孔２３ｃよりも上方に突出した状態に組み付ける。  
これにより、止めピン２７を、前面カバー２３の保持孔２３ｃに対して上下動可能で、かつ、軸芯回りに水平回転可能に取り付けられる（図１３、図１４参照）。
【００９３】
上述の止めピン２７により前面カバー２３の下端側を固定する場合、前面カバー２３を、成形体２２の上面、前面、下面を覆うように取り付けた際、前面カバー２３に取り付けた止めピン２７を、成形体２２に形成した止め孔２２ｅと対向させる。
【００９４】
この後、止めピン２７を、図示しない回動操作具により軸芯回りに回動操作して、上側部材２８の突出片２８ｃを止め孔２２ｅの溝部２２ｆに対して挿入が許容される向き及び角度に回転停止する。  
このまま、止めピン２７を押し上げて、成形体２２の止め孔２２ｅに対して下方から垂直に挿入する（図１２参照）。
【００９５】
上側部材２８の突出片２８ｃを止め孔２２ｅよりも上方に突出した後、止めピン２７を軸芯回りに右方向又は左方向へ９０度回動操作して、上側部材２８の突出片２８ｃが止め孔２２ｅの上面側周縁部に対して係止される角度に回動する。
【００９６】
また、突出片２８ｃの凸部２８ｄを止め孔２２ｅの凹部２２ｇに係合して、上側部材２８の突出片２８ｃが止め孔２２ｅの溝部２２ｆに対して抜き取り不可となる向き及び角度に回転停止する（図１３参照）。  
これにより、成形体２２と前面カバー２３とが開放不可に固定され、前面カバー２３を、成形体２２の上面、前面、下面を覆うように取り付けることができる。
【００９７】
また、止めピン２７を右方向又は左方向へ９０度回動操作して、突出片２８ｃの凸部２８ｄを止め孔２２ｅの凹部２２ｇから抜け出させるとともに、上側部材２８の突出片２８ｃを止め孔２２ｅの溝部２２ｆに対して抜き取りが許容される向き及び角度に回転操作する（図１４参照）。
【００９８】
すると、止めピン２７が自重下降によって成形体２２の止め孔２２ｅから抜き取られ、上側部材２８の突出片２８ｃが止め孔２２ｅよりも下方に落下する。  
これにより、止めピン２７による固定が解除され、前面カバー２３を、成形体２２から簡単に取り外すことができる。
【００９９】
次に、図１５を用いて、上部装飾体２０２を、自動販売機１００の外扉１００ａの上部正面に取り付ける方法を説明する。図１５のａは据付け板２０を外扉１００ａの上部天井面に取り付けた状態の正面図、図１５のｂは上部装飾体２０２及び据付け板２０を外扉１００ａの上部天井面に取り付けた状態の背面図である。
【０１００】
先ず、据付け板２０の前側挟持板２０Ｘを外扉１００ａの前側上部天井面に載置し、後側挟持板２０Ｙを外扉１００ａの後側上部天井面に載置した後、外扉１００ａの上部を前側挟持板２０Ｘと後側挟持板２０Ｙとで前後に挟持するようにねじ１６０にて締め付け固定する。
【０１０１】
これにより、例えばねじ孔等の加工を外扉１００ａに施すことなく、据付け板２０を介して、上部装飾体２０２を外扉１００ａの上部天井面に固定することができる。  
なお、前側挟持板２０Ｘ及び後側挟持板２０Ｙは、自動販売機１００を製造するメーカーや機種に対応して、外扉１００ａの上部の挟持が許容される大きさ及び形状の挟持板に交換する。
【０１０２】
次に、上部装飾体２０２の成形体２２に固定した取付け板２１を、外扉１００ａの上部天井面に固定した据付け板２０の正面側に載置する際、取付け板２１の係止爪２１ｄを前側挟持板２０Ｘの係止孔２０Ｘｅに係止して、据付け板２０と取付け板２１とをねじ１６０にて固定する。  
これにより、上部装飾体２０２を、外扉１００ａの上部正面が覆われるように設置することができる（図１参照）。
【０１０３】
長尺装飾体２０３は、図１、図２に示すように、外扉１００ａの幅方向左端側上部に取り付けられる上側装飾体２１０と、外扉１００ａの幅方向左端側下部に取り付けられる下側装飾体２２０とで構成している。上側装飾体２１０と下側装飾体２２０とは、長手方向に対して上下分割可能に構成している。
【０１０４】
また、長尺装飾体２０３は、外扉１００ａの幅方向左端側正面（商品展示部１０８の幅方向左端側正面を含む）が覆われる横幅に形成している。かつ、外扉１００ａの正面より前方に突出する凸状の断面形状に形成するとともに、外扉１００ａの上端から下端に至る左側正面と略同一長さに形成している。
【０１０５】
上側装飾体２１０の外扉１００ａの上部正面と対向する背面側上部には、外扉１００ａの上部天井面に対して係止される側面から見て上下逆Ｌ字形の上部係止具２３０を固定している。  
また、下側装飾体２２０の外扉１００ａの下部正面と対向する背面側下部には、外扉１００ａの下部底面に対して係止される側面から見てＬ字形の下部係止具２４０を固定している。
【０１０６】
上側装飾体２１０と下側装飾体２２０とを連結する背面側中央部には、外扉１００ａの中央部正面と対向して、商品展示部１０８の正面から見て左側下方角隅部１０８ａに取り付けた受け側係止具２６０に対して係止される中央係止具２５０を固定している。
【０１０７】
次に、図１６〜図１８を用いて、上部係止具２３０と、下部係止具２４０と、中央係止具２５０との取り付け構造について説明する。  
図１６は上部係止具２３０の取り付け構造の説明図、図１７は下部係止具２４の取り付け構造の説明図、図１８は中央係止具２５０の取り付け構造の説明図である。
【０１０８】
上部係止具２３０は、図１６に示すように、外扉１００ａの上部天井面に載置される載置部２３０ａと、載置部２３０ａの後端を略直角に上方へ屈曲して形成したねじ孔２３０ｅを有する起立部２３０ｂと、載置部２３０ａの前端に連設され外扉１００ａの上部天井面に突出する凸部を跨ぐように載置される側面から見て門形状に屈曲して形成した跨ぎ部２３０ｃと、載置部２３０ａの前端を略直角に下方へ屈曲して形成した取付け部２３０ｄとで構成している。
【０１０９】
取付け部２３０ｄは、上側装飾体２１０の背面側上部に固定した受け板２３１に対してねじ１６０にて固定している。また、取付け部２３０ｄの上端側に形成した係止片２３０ｆは、受け板２３１の上端側に形成した係止孔２３１ａに係止される。さらに、垂直部２３０ｄの上端側に形成した係止片２３０ｇは、受け板２３１の下端側に形成した係止孔２３１ｂに係止される。
【０１１０】
また、下部係止具２４０は、図１７に示すように、外扉１００ａの下部底面に対して下方から押し当てられる当接部２４０ａと、当接部２４０ａの後端を略直角に上方へ屈曲して形成したねじ孔２４０ｄを有する起立部２４０ｂと、当接部２４０ａの前端を上方へ屈曲して形成したねじ孔を有する取付け部２４０ｃとで構成している。
【０１１１】
取付け部２４０ｃは、下側装飾体２２０の背面側下部に固定した受け板２４１に対してねじ１６０にて固定している。また、取付け部２４０ｃの上端側に形成した係止片２４０ｅは、受け板２４１の上端側に形成した係止孔２４１ａに係止される。
【０１１２】
中央係止具２５０は、図１８に示すように、上側装飾体２１０の背面側下部に固定した上側連結具２５１と、下側装飾体２２０の背面側上部に固定した下側連結具２５２とで構成している。
【０１１３】
上側装飾体２１０の下端部と下側装飾体２２０の上端部とを連結する場合、例えば凹部と凸部とを係合する等して、上側装飾体２１０と下側装飾体２２０との対向端部を互いに嵌合するとともに、下側連結具２５２の上端を前方へ屈曲して形成した係止片２５２ａを、上側連結具２５１の上端に形成した係止孔２５１ａに係止する。さらに、上側連結具２５１の下端部と下側連結具２５２の上端部とを互いに合致したままねじ１６０にて固定する。  
これにより、上側装飾体２１０と下側装飾体２２０とを一体的に連結固定することができる。
【０１１４】
次に、図１９、図２０を用いて、受け側係止具２６０の取り付け構造について説明する。図１９は受け側係止具２６０の取り付け構造の説明図、図２０は受け側係止具２６０を外扉１００ａに取り付けた状態の正面図である。  
受け側係止具２６０は、商品展示部１０８の正面から見て左側下方の角隅部１０８ａに装着される正面から見てＬ字状の後側取付け板２６１と、該後側取付け板２６１の前側に対して重ね合わせた状態に装着される正面から見てＬ字状の前側取付け板２６２とで構成している。
【０１１５】
後側取付け板２６１は、商品展示部１０８の正面から見て左側下方の角隅部１０８ａの下側縁部に沿って右方向に向けて延出した一端側支持部２６１ａと、該角隅部１０８ａの左側縁部に沿って上方に向けて延出した他端側支持部２６１ｂとを、正面から見て略直角に連設して形成している。
【０１１６】
一端側支持部２６１ａの正面から見て上側縁部には、角隅部１０８ａの下側縁部（具体的には、商品展示部１０８の透明パネルと外扉１００ａの前面パネルとの隙間）に対して係止される第１係止部２６１ｃを形成している。
【０１１７】
一端側支持部２６１ａの正面から見て下側縁部には、下方に向けて凹状に開口された係止孔２６１ｄを形成している。また、係止孔２６１ｄの後述する係止片２６２ｂが係合される下端側係合縁部には、正面から見て三角形の凹部と凸部とからなる凹凸部２６１ｅを配置している。
【０１１８】
他端側支持部２６１ｂの正面から見て左側縁部には、角隅部１０８ａの左側縁部（具体的には、上述の隙間）に対して係止される第２係止部２６１ｆを形成している。また、第２係止部２６１ｄより下方の他端側支持部２６１ｂの正面には、該他端側支持部２６１ｂの正面よりも前方に向けて突出する係止爪２６１ｇを形成している。  
さらに、他端側支持部２６１ｂの上端を前方へ屈曲した支持片２６１ｈには、ねじ１６０の挿通が許容される孔部２６１ｉを形成している。
【０１１９】
前側取付け板２６２は、商品展示部１０８の下方に配置した広告表示部１１１の上側縁部に沿って右方向に向けて延出した一端側支持部２６２ａと、該角隅部１０８ａの左側縁部に沿って上方に向けて延出した他端側支持部２６２ｂとを、正面から見て略直角に連設して形成している。  
また、一端側支持部２６２ａは、他端側支持部２６２ｂに対して板厚に相当する変位量だけ背面側に向けて厚み方向に屈曲して、前側取付け板２６２の一端側支持部２６２ａを、後側取付け板２６１の一端側支持部２６１ａに対して上下互い違いに係合するように形成している。
【０１２０】
一端側支持部２６２ａの正面から見て下側縁部には、広告表示部１１１の上側縁部（具体的には、広告表示部１１１の透明パネルと外扉１００ａの前面パネルとの隙間）に対して係止される第１係止部２６２ｃを形成している。
【０１２１】
一端側支持部２６１ａの正面から見て上側縁部には、前記係止孔２６１ｄに対して挿入が許容される係止片２６２ｄを形成している。また、係止片２６２ｂの前記係止孔２６１ｄが係合される外側係合縁部には、前記凹凸部２６１ｅに対して前側取付け板２６２の厚み方向に係合が許容される三角形の凹部と凸部とからなる凹凸部２６２ｅを配置している。
【０１２２】
他端側支持部２６２ｂの他端側支持部２６１ｂに重ね合わされる正面には、該他端側支持部２６１ｂよりも前方に向けて前記係止爪２６１ｇの突出が許容される開口部２６２ｆを形成している。
【０１２３】
さらに、他端側支持部２６２ｂの上端を前方へ屈曲した支持片２６２ｈには、ねじ１６０が螺合されるねじ孔２６２ｉを形成している。
【０１２４】
次に、図１９、図２０を用いて、受け側係止具２６０を、商品展示部１０８の正面から見て左側下方角隅部１０８ａに装着する方法について説明する。  
詳述すると、受け側係止具２６０の後側取付け板２６１を、外扉１００ａに設けた商品展示部１０８の正面から見て左側下方の角隅部１０８ａに装着する際、後側取付け板２６１の一端側支持部２６１ａを角隅部１０８ａの下側縁部に押し当て、一端側支持部２６１ａの第１係止部２６１ｃを角隅部１０８ａの下側縁部に係止する。
【０１２５】
後側取付け板２６１を左側へ移動して、後側取付け板２６１の他端側支持部２６１ｂを角隅部１０８ａの左側縁部に押し当てるとともに、他端側支持部２６１ｂの第２係止部２６１ｆを角隅部１０８ａの左側縁部に係止する。  
これにより、後側取付け板２６１を、商品展示部１０８の左側下方の角隅部１０８ａに仮止めする。
【０１２６】
次に、前側取付け板２６２を、後側取付け板２６１を装着した商品展示部１０８の角隅部１０８ａと対応して、商品展示部１０８と広告表示部１１１との間の前面パネルに対して正面から装着する。この場合、前側取付け板２６２の一端側支持部２６２ａを角隅部１０８ａ下方の前面パネルに正面から押し当てながら、一端側支持部２６２ａの第１係止部２６２ｃを広告表示部１１１の上側縁部に係止する。
【０１２７】
前側取付け板２６２の一端側支持部２６２ａを、後側取付け板２６１の一端側支持部２６１ａよりも下方に配置して、前側取付け板２６２の一端側支持部２６２ａの上縁部を、後側取付け板２６１の一端側支持部２６１ａの下縁部に対して上下互い違いに係合する。
【０１２８】
続いて、後側取付け板２６１の他端側支持部２６１ｂを、前側取付け板２６２の他端側支持部２６２ｂに対して正面側から重ね合わせる際、他端側支持部２６１ｂの係止爪２６１ｇを、他端側支持部２６２ｂの開口部２６２ｆよりも正面に向けて突出する。
【０１２９】
また、一端側支持部２６２ａの係止片２６２ｄを一端側支持部２６１ａの係止孔２６１ｄに嵌め込み、係止片２６２ｄの凹凸部２６２ｅを係止孔２６１ｄの凹凸部２６１ｅに対して上下動不可に係合する。  
この後、長尺のねじ１６０を、支持片２６１ｈの孔部２６１ｉを介して、支持片２６２ｈのねじ孔２６２ｉに螺合して締め付け固定する（図１９、図２０参照）。
【０１３０】
次に、図２０、図２１を用いて、長尺装飾体２０３を、外扉１００ａの正面から見て幅方向左端側正面が覆われるように取り付ける方法を説明する。図２１のａ，ｂは上部取付け具２３０と下部取付け具２４０とを外扉１００ａに係止した状態の説明図である。
【０１３１】
上述のように、受け側係止具２６０の後側取付け板２６１と前側取付け板２６２とを一体的に固定した後、長尺装飾体２０３の下側装飾体２２０に固定した下部係止具２４０を外扉１００ａの下部底面に係止し、外扉１００ａの下部背面に対してねじ１６０にて固定する（図２１のｂ参照）。
【０１３２】
続いて、商品展示部１０８の角隅部１０８ａに装着した受け側係止具２６０の係止爪２６１ｇを、長尺装飾体２０３の背面側中央部に固定した図２０中の仮想線で示す中央係止具２５０の係止孔２５１ａに係止する。
【０１３３】
長尺装飾体２０３の上側装飾体２１０に固定した上部係止具２３０を外扉１００ａの上部天井面に係止した後、外扉１００ａの上部に配置した上部装飾体２０２の据付け板２０に対してねじ１６０にて固定する（図２１のａ参照）。  
これにより、長尺装飾体２０３を、外扉１００ａの正面から見て幅方向左端側正面が覆われるように取り付けることができる。
【０１３４】
この結果、外扉１００ａに加工を施すことなく、長尺装飾体２０３を外扉１００ａの幅方向左端側正面に対して確実かつ強固に固定することができるとともに、外扉１００ａに対してガタツキ無く、安定した状態に固定することができる。
【０１３５】
また、後側取付け板２６１の一端側支持部２６１ａと前側取付け板２６２の一端側支持部２６２ａとを上下互い違いに係合するので、支持部２６１ａ，２６２ａが板厚よりも正面に突出することがなく、シート状の下部装飾体２０５を、外扉１００ａの下部正面に沿ってほぼ平坦に貼着することができる。  
なお、後側取付け板２６１と前側取付け板２６２とを予め重ね合わせたまま、商品展示部１０８の角隅部１０８ａに取り付けてもよい。
【０１３６】
また、一端側支持部２６１ａの係止孔２６１ｄと一端側支持部２６２ａの係止片２６２ｄとを係合する際、係止片２６２ｄの凹凸部２６２ｅと係止孔２６１ｄの凹凸部２６１ｅとの係合位置を上下に変位させるだけで、後側取付け板２６１と前側取付け板２６２との取付け幅を上下に可変調節することができる。
【０１３７】
つまり、商品展示部１０８の下側縁部と広告表示部１１１の上側縁部との間隔が、例えば自動販売機を製造するメーカーや機種によって異なるも、その間隔に対応して、後側取付け板２６１と前側取付け板２６２との取付け幅を無段階に伸縮調節することができる。
【０１３８】
この結果、後側取付け板２６１の一端側支持部２６１ａと前側取付け板２６２の一端側支持部２６２ａとを、例えばねじ等の固定部材を用いることなく外扉１００ａに対して強固に固定することができ、長尺装飾体２０３の取り付け状態を維持するのに必要な強度を確保することができる。
【０１３９】
また、後側取付け板２６１の第１係止部２６１ｃが商品展示部１０８の角隅部１０８ａの下側縁部に係止され、前側取付け板２６２の第１係止部２６２ｃが広告表示部１１１の上側縁部が広告表示部１１１の上側縁部に対して係止された状態を維持することができる。
【０１４０】
この結果、後側取付け板２６１と前側取付け板２６２との取付け位置が上下に変位することを防止でき、長尺装飾体２０３の背面側中央部を外扉１００ａの中央部正面に対してガタツキ無く固定することができる。
【０１４１】
次に、図２２を用いて、短尺装飾体２０４の取り付け構造について説明する。図２２（ａ）は短尺装飾体２０４を分離した状態の正面図、（ｂ）は部分拡大断面図である。  
短尺装飾体２０４は、図１、図２、図２２に示すように、商品展示部１０８の幅方向右端側正面（具体的には、透明パネルの前面）に取り付けられる取付け板２１４と、取付け板２１４の上下端部と右側端部とに取り付けられる係止具２２４と、取付け板２１４の全体を覆うように取り付けられる短尺カバー２３４とで構成している。
【０１４２】
また、短尺装飾体２０４は、外扉１００ａの幅方向右端側正面（商品展示部１０８の幅方向右側端部を含む）が覆われる横幅に形成している。かつ、外扉１００ａの正面より前方に突出する凸状の断面形状に形成するとともに、商品展示部１０８の上側縁部から下側縁部に至る右側正面と略同一長さに形成している。
【０１４３】
取付け板２１４は、商品展示部１０８の右端側正面に対して装着が許容される大きさ及び形状に形成している。また、取付け板２１４の平面には、後述する係止爪２３４ａの係止が許容される係止孔２１４ａを上下に所定間隔を隔てて配置している。  
さらに、取付け板２１４の正面から見て左側縁部には、商品展示部１０８の前面（具体的には、透明パネルの前面）に配置した商品選択ボタンの突出が許容される切欠き部２１４ｂを形成している。
【０１４４】
係止具２２４は、取付け板２１４の上下端部及び右側端部にねじ止めされる受け板２２４ａと、右側端部に固定した受け板２２４ａにねじ止めされる押え板２２４ｂとで構成している。また、受け板２２４ａの外側に突出する端部は、商品展示部１０８の透明パネルと外扉１００ａの前面パネルとの隙間に対して係止が許容される形状に形成している。
【０１４５】
短尺カバー２３４は、商品展示部１０８の上側縁部から下側縁部に至る右側正面が覆われる大きさ及び形状に形成している。また、短尺カバー２３４の正面から見て左側背面には、取付け板２１４に形成した係止孔２１４ａに対して係合される係止爪２３４ａを、係止孔２１４ａに対して係合が許容される位置に所定間隔を隔てて複数配置している。
【０１４６】
また、短尺カバー２３４の正面から見て右側縁部と、該右側縁部が被せられる外扉１００ａの右側壁部との間には、短尺カバー２３４の右側縁部を、外扉１００ａの右側壁部に対して固定するための側部金具３５０を配置している（図２４参照）。短尺カバー２３４の右側縁部には、ねじ孔２３４ｂを上下に所定間隔を隔てて上下に配置している。
【０１４７】
上述の短尺装飾体２０４を、外扉１００ａの正面から見て幅方向右端側正面に取り付ける方法について説明する。  
先ず、係止具２２４の受け板２２４ａを、商品展示部１０８の上下縁部に係止して仮止めした後、予め取付け板２１４の右側端部に固定した受け板２２４ａを商品展示部１０８の右側縁部に係止する。
【０１４８】
取付け板２１４の上下端部を、上述の仮止めした受け板２２４ａにねじ止めすることにより、取付け板２１４の上下端部を商品展示部１０８の上下縁部に固定することができる。
【０１４９】
また、押え板２２４ｂを、取付け板２１４の右側端部に固定した受け板２２４ａにねじ止めして、商品展示部１０８の右側縁部を、受け板２２４ａと押え板２２４ｂとで厚み方向に挟持することにより、取付け板２１４の右側端部を商品展示部１０８の右側縁部に固定することができる（図１参照）。
【０１５０】
この後、短尺カバー２３４を、取付け板２１４が覆われるように正面側から装着する際、短尺カバー２３４の係止爪２３４ａを取付け板２１４の係止孔２１４ａに係合することにより、短尺カバー２３４の左側を、取付け板２１４を介して、商品展示部１０８の右側正面に固定することができる（図２２のｂ参照）。
【０１５１】
なお、短尺カバー２３４の右側は、後述する側部金具１５０を介して、外扉１００ａの右側縁部に固定することができる。  
これにより、短尺装飾体２０４を、外扉１００ａの幅方向右端側正面と、商品展示部１０８の幅方向右側正面とを覆うように取り付けることができる（図１参照）。
【０１５２】
次に、図２３〜図２６を用いて、側部金具３５０の構造について説明する。図２３は短尺装飾体２０４を取り付けるための側部金具３５０の斜視図、図２４は側部金具３５０による短尺装飾体２０４の取り付け方法の説明図、図２５は側部金具３５０による短尺装飾体２０４の固定状態の斜視図、図２６は側部金具１５０による短尺装飾体２０４の固定状態の横断平面図である。
【０１５３】
側部金具３５０は、屈曲加工した金属板で構成され、外扉１００ａの開閉側の右側壁部に対して背面から装着される側面フック３５１と、外扉１００ａの右側壁部の外面に対して押し当てられる側面当接部３５２と、短尺装飾体２０４（短尺カバー２３４）の右側縁部に対して背面から固定される側面挟持部３５３とで構成している。
【０１５４】
側面フック３５１は、外扉１００ａの右側壁部の内面、背面、外面を跨ぐように上方から見てコ字状に形成している。また、側面フック３５１は、右側壁部の背面と対応する中央の部材が外扉１００ａの右側壁部の幅とほぼ同じ横幅に形成した背面当接部３５１ａと、内面及び外面と対応する左右の部材が背面当接部３５１ａの左右端を略直角に前方へ屈曲して形成した２つの背面係止部３５１ｂ，３５１ｃとで構成している。
【０１５５】
側面フック３５１の後端側中央部には、背面当接部３５１ａの中央部から背面係止部３５１ｃの後端に連なる開口部３５１ｄを開口している。また、開口部３５１ｄは、後述する連結片３５２ａの挿入が許容される大きさ及び形状に形成している。
【０１５６】
背面係止部３５１ｂの開口部３５１ｄと対応する後端側には、背面係止部３５１ｂの後端から後方に延びる連結片３５１ｅを形成している。また、連結片３５１ｅには、ねじ３５６の螺合が許容されるねじ孔３５１ｆを設けている。
【０１５７】
側面挟持部３５３の後端には、外扉１００ａの右側壁部の外面に対して押し当てられる側面当接部３５２が連なるように形成している。また、側面当接部３５２は、外扉１００ａの厚みと同程度あるいは略半分の奥行きを有している。
【０１５８】
側面挟持部３５３は、側面当接部３５２の前端から前方に延びる金属部材を上下方向に３分割して短冊状の部材に形成している。また、短冊状の部材は、中央の部材が側面当接部３５２の前端から短尺カバー２３４の板厚とほぼ同じ横幅で右方向に略Ｌ字に屈曲した側面固定部３５３ａと、上下の部材が奥行き方向の根元付近と中央付近とで左方向に緩やかに略Ｌ字に屈曲した２つの側面保持部３５３ｂとで構成している。
【０１５９】
側面固定部３５３ａには、短尺装飾体２０４（短尺カバー２３４）の右側縁部を固定するためのねじ孔３５３ｃを設けている。また、側面当接部３５２の後端側中央部には、側面当接部３５２の後端から後方に延びる連結片３５２ａを形成している。
【０１６０】
連結片３５２ａには、ねじ３５６の挿入が許容される孔部３５２ｂを設けている。さらに、側面当接部３５２の右側平面には、背面係止部３５１ｃの内面に当接される凸部３５２ｃを上下端部付近に形成している。
【０１６１】
次に、図２４〜図２６を用いて、側部金具３５０による短尺装飾体２０４の取り付け方法について説明する。
【０１６２】
短尺装飾体２０４の正面から見て右側縁部を、該右側縁部に対して背面から引っ掛けるようにして、側面挟持部３５３の側面固定部３５３ａと側面保持部３５３ｂとの間に挟み込んだ後、ねじ３５６を、短尺カバー２３４のねじ孔２３４ｂ及び側面固定部３５３ａのねじ孔３５３ｃに螺合して、側面固定部３５３ａを短尺装飾体２０４の右側縁部に固定する。  
なお、実施形態におけるねじ３５６は、回動操作具３５７(図２４参照)にて締込み方向及び緩め方向に回動操作する。
【０１６３】
側面挟持部３５３が取り付けられた短尺装飾体２０４を外扉１００ａの幅方向右側正面に被せた際、短尺装飾体２０４の右側縁部に取付けた側部金具３５０の側面挟持部３５３と対応して、側面フック３５１を、外扉１００ａの右側縁部に対して背面から引っ掛けるように装着し、背面当接部３５１ａが外扉１００ａの右側縁部に対して押し当てられる位置まで差し込む。
【０１６４】
さらに、図２５、図２６に示すように、短尺装飾体２０４の右側縁部に取付けた側面挟持部３５３の連結片３５２ａを、側面フック３５１の開口部３５１ｄに正面から挿入して連結片３５１ｅに対して左右方向に対向した後、ねじ３５６を、側面当接部３５２の孔部３５２ｂを介して、連結片３５１ｅのねじ孔３５１ｆに螺合し、外扉１００ａの右側縁部を、側面フック３５１の背面係止部３５１ｂと側面挟持部３５３の側面当接部３５２とで厚み方向に締付けて固定する。  
これにより、短尺装飾体２０４の右側縁部を外扉１００ａの右側縁部に固定することができる。
【０１６５】
次に、図１、図２を用いて、下部装飾体２０５の取り付け構造について説明する。なお、図１、図２は上述した通りであるので、その説明を省略する。  
下部装飾体２０５は、柔軟性を有するプラスチック製のシートで構成され、図１、図２に示すように、商品展示部１０８と、精算部１０９と、施錠部１１０と、広告表示部１１１と、商品取出口１１２とを避けて、外扉１００ａの下部正面に対して貼着が許容される大きさ及び形状に形成している。
【０１６６】
また、下部装飾体２０５の右側正面には、精算部１０９の露出が許容される開口部２０５ａと、施錠部１１０の露出が許容される開口部２０５ｂとを開口している。さらに、下部装飾体２０５の左側正面には、広告表示部１１１の露出が許容される開口部２０５ｃを開口している。  
さらにまた、下部装飾体２０５の下側正面には、商品取出口１１２の露出が許容される横長の開口部２０５ｄと、硬貨返却口１１３の露出が許容される角形の開口部２０５ｅとを開口している。
【０１６７】
上述の下部装飾体２０５を、外扉１００ａの下部正面に貼着する場合、下部装飾体２０５の背面側に貼着した図示しない両面粘着テープから離型紙（図示せず）を剥離し、下部装飾体２０５の開口部２０５ａ〜開口部２０５ｅを、外扉１００ａの正面に配置した商品展示部１０８と、精算部１０９と、広告表示部１１１と、商品取出口１１２と、硬貨返却口１１３とに対応させて、外扉１００ａの下部正面が覆われるように正面から貼着する。
【０１６８】
これにより、商品展示部１０８より下方の外扉１００ａの下部正面に、例えば正面から見て右側上方から左側下方に向けて徐々に幅狭となる滑らかな連続するデザインの左寄り曲線を現出することができる（図１参照）。
【０１６９】
つまり、自動販売機用の扉装飾体２０１を外扉１００ａの正面に取り付ける手順の一例として、上部装飾体２０２を外扉１００ａの上部正面が覆われるように取り付け、下部装飾体２０５を外扉１００ａの下部正面が覆われるように貼着する。  
この後、長尺装飾体２０３を、外扉１００ａの幅方向左端側正面と、商品展示部１０８の幅方向左端側正面とが覆われるように取り付ける。また、短尺装飾体２０４を、外扉１００ａの幅方向右端側正面と、商品展示部１０８の幅方向右側正面とが覆われるように取り付ける（図１参照）。
【０１７０】
この結果、自動販売機用の扉装飾体２０１を、既存の自動販売機１００の外扉１００ａ正面に取り付けるだけで、自動販売機１００のデザインを旧型から新型へ簡単かつ容易に変更することができ、デザインを変更する際の作業性が向上する。
【０１７１】
また、矩形パーツ１４１の下部には、長尺装飾体２０３の上端部の係合が許容される段部１４１ｄを形成している。  
つまり、長尺装飾体２０３を、外扉１００ａの幅方向左端側正面が覆われるように取り付ける際、長尺装飾体２０３の上端部を矩形パーツ１４１の段部１４１ｄ０２ｇに係合して、長尺装飾体２０３を上部装飾体２０２の左側端部に対して連続するように配置する。
【０１７２】
また、短尺装飾体２０４の上端部を、上部装飾体２０２の幅方向右端側下面に近接あるいは当接して、短尺装飾体２０４を上部装飾体２０２の右側端部に対して連続するように配置する。
【０１７３】
これにより、上部装飾体２０２、長尺装飾体２０３及び短尺装飾体２０４の表面に、例えば会社や商品等のイメージと対応するデザインを印刷しておけば、上部装飾体２０２、長尺装飾体２０３及び短尺装飾体２０４によって１つのデザインを現出することができる。
【０１７４】
また、自動販売機用の扉装飾体２０１を構成する装飾体２０２〜２０５、あるいは、長尺装飾体２０３の装飾体２１０，２２０のいずれか一つ又は複数に、例えば割れ、破損等が発生したり、汚れや変色、経年変化等が顕著であり、自動販売機用の扉装飾体２０１による取付け当初のデザインが損なわれてしまっても、その部分の装飾体２０２〜２０５あるいは装飾体２１０，２２０のみを交換するだけで、取付け当初のデザインに取り戻すことができる。
【０１７５】
また、装飾性あるいは意匠性が損なわれてしまった部分の装飾体２０２〜２０５のみを交換するだけで済むため、従来例のように扉カバー全体を交換するのに比べて、変更時の作業性が向上するとともに、交換に要する費用が安くて済み、コストの低減を図ることができる。  
さらにまた、装飾体２０２〜２０５のいずれか一つ又は複数を交換すれば、装飾体２０３〜１０６で構成するデザインの一部を変更することができる。
【０１７６】
この発明の構成と、前記実施形態との対応において、  
この発明の扉装飾体は、実施形態の上部装飾体２０２に対応し、  
以下同様に、  
中央装飾体は、中央パーツ１３０に対応し、  
側部装飾体は、側部パーツ１４０（矩形パーツ１４１，１４２）に対応し、  
一端側装飾パーツは、矩形パーツ１４１に対応し、  
他端側装飾パーツは、矩形パーツ１４２に対応し、  
装飾体取付け部材は、据付け板２０に対応し、  
締め付け手段は、ねじ１６０に対応するも、  
この発明は、上述の実施形態の構成のみに限定されるものではなく、請求項に示される技術思想に基づいて応用することができ、多くの実施の形態を得ることができる。
【０１７７】
実施形態の上部係止具２３０及び下部係止具２４０は、自動販売機１００を製造するメーカーや機種に対応して、外扉１００ａの上部及び下部に対して係止が許容される大きさ及び形状の係止具に交換される。  
また、係止具２２４も、商品展示部１０８の透明パネルと外扉１００ａの前面パネルとの隙間に対して係止が許容される大きさ及び形状の係止具に交換される。
【０１７８】
また、長尺装飾体２０３の表面に、例えば地色（例えば赤色）と対比する白色のラインを、長尺装飾体２０３の上端側から下端側に向けて滑らかな曲線に印刷してもよい。
【０１７９】
また、上部装飾体２０２、長尺装飾体２０３、短尺装飾体２０４及び下部装飾体２０５の表面に、自動販売機１００が取り扱う商品の販売イメージと対応する例えば文字や絵、線画、模様、植物、動物、自然の風景等を印刷するか、取り扱う商品に関連した広告情報を印刷してもよい。  
さらに、下部装飾体２０５の少なくとも一方の表面（正面）に、商品に関連した訴求情報が印刷された凸状の表示部を該下部装飾体２０５の表面より前方に突出して形成してもよい。
【符号の説明】
【０１８０】
１００…自動販売機
１００ａ…外扉
１００ｂ…販売機本体
１０８…商品展示部
１０９…精算部
１１０…施錠部
１１１…広告表示部
１１２…商品取出口
１１３…硬貨返却口
２０１…自動販売機用の扉装飾体
２０２…上部装飾体
２０…据付け板
２０Ｘ…前側挟持板
２０Ｙ…後側挟持板
２１…取付け板
２２…成形体
２３…前面カバー
２７…止めピン
１３０…中央パーツ
１４０…側部パーツ
１４１,１４２…矩形パーツ
１５１,１５２…端部カバー
２０３…長尺装飾体
２１０…上側装飾体
２２０…下側装飾体
２３０…上部係止具
２４０…下部係止具
２５０…中央係止具
２５１…上側連結具
２５２…下側連結具
２６０…受け側係止具
２６１…後側取付け板
２６２…前側取付け板
２６１ａ,２６２ａ…一端側支持部
２６１ｂ,２６２ｂ…他端側支持部
２６１ｃ,２６２ｃ…第１係止部
２６１ｄ…係止孔
２６１ｅ…凹凸部
２６１ｆ…第２係止部
２６１ｇ…係止爪
２６２ｄ…係止片
２６２ｅ…凹凸部
２０４…短尺装飾体
２１４…取付け板
２２４…係止具
２３４…短尺カバー
２０５…下部装飾体
３５０…側部金具
３５１…側面フック
３５２…側面当接部
３５３…側面挟持部
【図１】
2014006687.tif 000003
【図２】
2014006687.tif 000004
【図３】
2014006687.tif 000005
【図４】
2014006687.tif 000006
【図５】
2014006687.tif 000007
【図６】
2014006687.tif 000008
【図７】
2014006687.tif 000009
【図８】
2014006687.tif 000010
【図９】
2014006687.tif 000011
【図１０】
2014006687.tif 000012
【図１１】
2014006687.tif 000013
【図１２】
2014006687.tif 000014
【図１３】
2014006687.tif 000015
【図１４】
2014006687.tif 000016
【図１５】
2014006687.tif 000017
【図１６】
2014006687.tif 000018
【図１７】
2014006687.tif 000019
【図１８】
2014006687.tif 000020
【図１９】
2014006687.tif 000021
【図２０】
2014006687.tif 000022
【図２１】
2014006687.tif 000023
【図２２】
2014006687.tif 000024
【図２３】
2014006687.tif 000025
【図２４】
2014006687.tif 000026
【図２５】
2014006687.tif 000027
【図２６】
2014006687.tif 000028